(57)【特許請求の範囲】
【請求項１】
粘性製品用の分配容器（１０）であって、
粘性製品を保存するように構成された保存容積を定める内部シリンダー（１４）を有するクリームポット（１２）と、
前記クリームポット（１２）を閉じるように構成され、分配出口部（１８）を有するキャップ（１６）と、
前記クリームポット（１２）に回転可能に接続されているスクリューロッド（２０）と、
雌ネジ（２４）を有し、前記スクリューロッド（２０）の回転が、前記内部シリンダー中における前記スクリューロッド（２０）の長手方向軸線（２６）に沿ったピストン（２２）の動きを引き起こして、前記内部シリンダー（１４）の前記保存容積を減少させ、前記分配出口部（１８）を通して製品を分配するように、前記スクリューロッド（２０）と結合されている、ピストン（２２）と、
を備え、
前記スクリューロッド（２０）を、前記クリームポット（１２）に対する複数の回転位置でロックするように構成されたインデックス機構（２８）が備えられ、前記インデックス機構（２８）は、前記スクリューロッド（２０）に配置されたインデックススプリング要素（３０）、及び前記クリームポット（１２）の底（４８）に配置されたインデックスセクション（３２）を備え、前記スクリューロッド（２０）の前記インデックススプリング要素（３０）は、前記スクリューロッド（２０）を前記クリームポット（１２）に対してロックするために、前記クリームポット（１２）の前記インデックスセクション（３２）と相互作用するように構成されており、かつ、
前記クリームポット（１２）を収容するように構成された外部装飾シェルベース部材（５６）であって、前記外部装飾シェルベース部材（５６）の底部分（６４）は、前記スクリューロッド（２０）の前記クリームポット（１２）に対する作動方向の回転する動きを作動させるように構成された作動セクション（６６）を備える、外部装飾シェルベース部材（５６）、
を備える、分配容器（１０）。
【請求項２】
前記分配容器（１０）が、前記スクリューロッド（２０）が前記クリームポット（１２）に対して回転すると、前記スクリューロッド（２０）を前記クリームポット（１２）の前記底（４８）から、非分配位置と分配位置との間で持ち上げるように構成された持ち上げ機構（４６）を備える、請求項１に記載の分配容器（１０）。
【請求項３】
前記持ち上げ機構（４６）が、前記スクリューロッド（２０）に配置された波状又は階段状のスライド面（５０）、及び前記クリームポット（１２）の前記底（４８）に配置された偏位面（５２）を備え、前記スクリューロッド（２０）の前記クリームポット（１２）に対する回転が、前記偏位面（５２）上での前記スライド面（５０）のスライドする動きを引き起こし、それによって、前記スクリューロッド（２０）は、前記非分配位置と前記分配位置との間で動かされる、請求項２に記載の分配容器（１０）。
【請求項４】
前記インデックス機構（２８）が、前記スクリューロッド（２０）の前記クリームポット（１２）に対する回転がロックされた場合に前記スクリューロッド（２０）が前記非分配位置にあるように、前記持ち上げ機構（４６）と同期されている、請求項１及び２又は請求項１及び請求項３に記載の分配容器（１０）。
【請求項５】
前記クリームポット（１２）の外側底部分（７０）が、回転防止装置（８０）を備え、前記外部装飾シェルベース部材（５６）の前記底部分（６４）が、ロックフィーチャ（８２）を備え、前記回転防止装置（８０）は、前記スクリューロッド（２０）の前記作動方向への作動は可能とし、前記作動方向とは逆であるロック方向への前記スクリューロッド（２０）の作動は防止するように前記ロックフィーチャ（８２）と相互作用するように構成されている、請求項１に記載の分配容器（１０）。
【請求項６】
前記クリームポット（１２）の外側底部分（７０）が、環状のアンダーカット部（８６）を有するマウントリング（８４）を備え、前記外部装飾シェルベース部材（５６）が、アンダーカット部（９０）を有するマウントフィーチャ（８８）を備え、前記マウントリング（８４）の前記アンダーカット部（８６）は、前記マウントフィーチャ（８８）の前記アンダーカット部（９０）と相互作用して、前記クリームポット（１２）を前記外部装飾シェルベース部材（５６）に固定する、請求項５に記載の分配容器（１０）。
【請求項７】
前記外部装飾シェルベース部材（５６）が、ガラス製又は金属製であるベースパーツ（９２）、及び前記ベースパーツ（９２）と接続されたプラスチック製の機能パーツ（９４）を備え、前記機能パーツ（９４）は、前記作動セクション（６６）、前記ロックフィーチャ（８２）、及び前記マウントフィーチャ（８８）を備える、請求項６に記載の分配容器（１０）。
【請求項８】
前記クリームポット（１２）が、前記クリームポット（１２）の外部周囲（１１８）に配列された複数のガイドセクション（１１６）を備え、前記キャップ（１６）が、複数のガイドブリッジ（１２０）を備え、前記ガイドセクション（１１６）は、前記キャップ（１６）が前記クリームポット（１２）に装着された際に、前記ガイドブリッジ（１２０）を所定の位置までガイドするように構成されている、請求項１から請求項７のいずれか一項に記載の分配容器（１０）。
【請求項９】
前記持ち上げ機構（４６）及びバルブ開閉機構（１００）が、前記スクリューロッド（２０）が前記非分配位置にある場合にはバルブ（９６）は閉位置にあり、前記スクリューロッド（２０）が分配位置にある場合には前記バルブ（９６）は開位置にあるように、同期されている、請求項２から請求項４までのいずれか一項に記載の分配容器。
【請求項１０】
前記キャップ（１６）のカバー領域（１４６）が、前記クリームポット（１２）の前記内部シリンダー（１４）に向かって軸方向内向きに曲がっており、前記カバー領域（１４６）での前記キャップ（１６）の内部面（１４８）は、前記ピストン（２２）の上面（１５０）と合致している、請求項１から請求項９のいずれか一項に記載の分配容器（１０）。
【請求項１１】
前記スクリューロッド（２０）と前記クリームポット（１２）との間に配置されたガスケット（１３２）が備えられ、前記ガスケット（１３２）は、前記スクリューロッド（２０）と前記クリームポット（１２）との間での漏出を防止するように構成されている、請求項１から請求項１０のいずれか一項に記載の分配容器（１０）。
【請求項１２】
前記スクリューロッド（２０）が、ネジなしセクション（１３８）を有するシャフト（１３６）を備え、前記ピストン（２２）が、雌ネジなしセクション（１４０）を有し、ベアリングシールが前記シャフト（１３６）の前記ネジなしセクション（１３８）と前記ピストン（２２）の前記雌ネジなしセクション（１４０）との間に形成されるように、前記シャフト（１３６）の前記ネジなしセクション（１３８）の外径は、前記雌ネジなしセクション（１４０）の内径よりも大きい、請求項１から請求項１１のいずれか一項に記載の分配容器（１０）。
【請求項１３】
前記クリームポット（１２）が、前記内部シリンダー（１４）に対して同心円状に、及び前記内部シリンダー（１４）の半径方向外側に配置された環状シール壁（１４２）を備え、前記キャップ（１６）は、前記キャップ（１６）が前記クリームポット（１２）に装着された際に、前記環状シール壁（１４２）にシール状態で接するように構成された環状シールリップ（１４４）を前記キャップ（１６）の内部領域に備える、請求項１から請求項１２のいずれか一項に記載の分配容器（１０）。
【請求項１４】
粘性製品用の分配容器（１０）であって、
粘性製品を保存するように構成された保存容積を定める内部シリンダー（１４）を有するクリームポット（１２）と、
前記クリームポット（１２）を閉じるように構成され、分配出口部（１８）を有するキャップ（１６）と、
前記クリームポット（１２）に回転可能に接続されているスクリューロッド（２０）と、
雌ネジ（２４）を有し、前記スクリューロッド（２０）の回転が、前記内部シリンダー中における前記スクリューロッド（２０）の長手方向軸線（２６）に沿ったピストン（２２）の動きを引き起こして、前記内部シリンダー（１４）の前記保存容積を減少させ、前記分配出口部（１８）を通して製品を分配するように、前記スクリューロッド（２０）と結合されている、ピストン（２２）と、
を備え、
前記スクリューロッド（２０）を、前記クリームポット（１２）に対する複数の回転位置でロックするように構成されたインデックス機構（２８）が備えられ、前記インデックス機構（２８）は、前記スクリューロッド（２０）に配置されたインデックススプリング要素（３０）、及び前記クリームポット（１２）の底（４８）に配置されたインデックスセクション（３２）を備え、前記スクリューロッド（２０）の前記インデックススプリング要素（３０）は、前記スクリューロッド（２０）を前記クリームポット（１２）に対してロックするために、前記クリームポット（１２）の前記インデックスセクション（３２）と相互作用するように構成されており、かつ、
前記分配出口部（１８）を閉じるように構成されたバルブ（９６）が備えられ、前記バルブ（９６）は、バルブ部材（９７）を備え、前記バルブ部材（９７）を、前記スクリューロッド（２０）の前記長手方向軸線（２６）に沿って、前記分配出口部（１８）が前記バルブ部材（９７）によって閉じられる閉位置と前記分配出口部（１８）が開かれる開位置との間で動かすように構成されたバルブ開閉機構（１００）が備えられ、前記スクリューロッド（２０）は、前記バルブ部材（９７）を前記スクリューロッド（２０）の前記長手方向軸線（２６）周りに前記キャップ（１６）に対して回転させ、それによって前記バルブ開閉機構（１００）を作動させるように構成されたバルブ作動フィーチャ（１０２）を備える、
分配容器（１０）。
【請求項１５】
前記バルブ開閉機構（１００）が、前記キャップ（１６）に配置されたバルブ開閉フィーチャ（１０４）及び前記バルブ部材（９７）に配置された波状又は階段状のバルブ持ち上げフィーチャ（１０６）を備え、前記バルブ開閉フィーチャ（１０４）及び前記バルブ持ち上げフィーチャ（１０６）は、前記バルブ部材（９７）が前記スクリューロッド（２０）の前記長手方向軸線（２６）周りに前記キャップ（１６）に対して回転すると、前記バルブ部材（９７）を、前記閉位置と前記開位置との間で動かすように構成されている、請求項１４に記載の分配容器（１０）。
【請求項１６】
前記キャップ（１６）に接続され、前記バルブ部材（９７）を前記閉位置に予め入れておくように構成されたスプリング部材（９８）が備えられた、請求項１４又は請求項１５に記載の分配容器（１０）。
【発明の詳細な説明】
【技術分野】
【０００１】
本発明は、クリームなどの、特に医療用又は化粧用クリームなどの粘性製品用の分配容器に関し、粘性製品を保存するように構成された保存容積を定める内部シリンダーを有するクリームポットと、前記クリームポットを閉じるように構成され、分配出口部を有するキャップと、前記クリームポットに回転可能に接続されたスクリューロッドと、雌ネジを有するピストンであって、前記スクリューロッドの回転が、前記内部シリンダー中における前記スクリューロッドの前記長手方向軸線に沿った前記ピストンの動きを引き起こして、前記内部シリンダーの前記保存容積を減少させ、前記分配出口部から前記製品を分配するように前記スクリューロッドと結合された、ピストンとを備える。
【背景技術】
【０００２】
そのような分配容器は、先行技術において公知であり、例えば、国際公開第２０１０／０８１２０５（Ａ２）号及び欧州特許第２１２３１８８（Ａ１）号に記載されている。前記クリームポットに対する前記スクリューロッドの前記回転は、前記ピストンが前記雌ネジを介して前記スクリューロッドと結合されてスクリュードライブを形成していることから、前記クリームポットに対する前記ピストンの動きを引き起こす。前記ピストンの前記軸線方向の動きのために、前記クリームポットの前記内部シリンダーの前記保存容積は減少され、前記保存容積中の圧力は増加される。それによって、前記粘性製品は、前記分配容器の前記キャップにある前記分配出口部を通して押し出され、ユーザーは、前記ユーザーの皮膚に適用するために、前記キャップの外側表面から前記粘性製品を拭い取ることができる。
米国出願公開２０１６／０１７４６８７Ａ１は、分配パッケージを含む消費者ケア製品を開示する。該分配パッケージは、製品チャンバーと該製品チャンバーを囲む外部ジャケットを含む。前記製品チャンバーはスクリューアセンブリの主軸と作動的に関連付けられている可動式の上昇プラットホームを含む。前記製品チャンバー又は外部ジャケットは、
前記製品チャンバーの外部ジャケットに取り外し不能に関連付けられたラチェットを含む。
特開２０１１−０５０４１２は、ケース本体に対する回転体の相対回転によって上昇又は下降される内部プレートを有する、繰出容器を開示する。
【０００３】
しかしながら、これらの先行技術の分配容器は、様々な欠点を有している。粘性製品の分配操作を行った場合、先行技術の分配容器では、多くの場合、前記粘性製品の１回分の量、特に、医療用クリーム又は化粧用クリームなどのクリームの１回分の量が変動する。特に医療用クリームの分野では、１回分の量の変動は望ましくない。さらに、先行技術の分配容器では、前記分配操作後に漏出する問題がある。前記クリームポットに対して前記スクリューロッドが回転され、それによって、前記ピストンが軸線方向に動かされて前記保存容積を減少させ、前記保存容積中の圧力を増加させると、前記ユーザーによって前記分配容器に対してさらなる分配操作が行われない場合であっても、粘性製品は、前記分配出口部から漏出する場合がある。
【０００４】
さらに、飛行機の中を例とする移動中に発生し得る外部の圧力の変動が、前記分配出口部からの粘性製品の漏出を引き起こす場合もある。前記漏出のために、先行技術の分配容器は、粘性製品の喪失という問題を有しており、これは、医療用クリームなどの高価な粘性製品が前記分配容器の前記保存容積中に保存されている場合、大きな問題である。さらに、前記分配出口部での前記粘性製品の前記漏出は、前記分配容器の前記キャップの前記外側表面の汚染を引き起こし、これは、前記保存容積中にまだ保存されている前記粘性製品の汚染も引き起こし得る。
【発明の概要】
【発明が解決しようとする課題】
【０００５】
したがって、本発明の目的は、上述の欠点及び不利な点を回避する分配容器を提供することである。特に、本発明の目的は、前記保存容積中に保存された前記粘性製品の１回分の量を予め定めることを可能とする分配容器を提供することである。さらに、本発明の目的は、漏出が低減された分配容器を提供することである。本発明のさらなる目的は、無駄を回避し、魅力的な外観を提供する分配容器を提供することである。
【課題を解決するための手段】
【０００６】
この目的は、請求項１の特徴に従う分配容器によって達成される。そのような分配容器は、前記スクリューロッドを、前記クリームポットに対する複数の回転位置でロックするように構成されたインデックス機構が備えられ、前記インデックス機構は、前記スクリューロッドに配置されたインデックススプリング要素、及び前記クリームポットの底に配置されたインデックスセクションを備え、前記スクリューロッドの前記インデックススプリング要素は、前記スクリューロッドを前記クリームポットに対してロックするために、前記クリームポットの前記インデックスセクションと相互作用するように構成されている、ことを特徴とする。有利には、前記インデックススプリング要素は、半径方向に、すなわち、前記スクリューロッドの前記長手方向軸線に対して直角に延び、前記スクリューロッドの底セクションにあるカラー上に配列されている。前記クリームポットが、前記カラー及び前記インデックススプリング要素が配置される凹み部を備えることが特に好ましく、前記クリームポットの前記インデックスセクションは、前記凹み部の周囲表面領域に配置されている。有利には、前記インデックススプリング要素は、前記カラーから延びるＬ字形状フィンガー部であり、前記インデックスセクションは、前記凹み部の前記周囲表面領域から前記凹み部の中に向かって突出した、円柱型のセクションである。前記Ｌ字形状フィンガー部は、その自由端にロックセクションを有していてよく、前記ロックセクションは、前記インデックススプリング要素のスプリング力によって、前記クリームポットの前記インデックスセクション間の領域中に予め押し付けられている。前記カラーの周囲に均等に分布された５個のインデックススプリング要素が備えられており、前記凹み部の前記周囲表面に沿ってやはり均等に備えられた１０個のインデックスセクションが備えられていることが特に好ましい。１０個のインデックスセクションを備えることによって、３６°のインデックス角度分解能を実現することができる。前記インデックス機構を備えることによって、前記保存容積中に保存された粘性製品の１回分の量を予め定めることを可能とする分配容器を提供することができる。好ましくは、本発明に従う分配容器は、クリームジャーとして構成されている。しかし、前記分配容器が、ペン状の構造を有し、いわゆるノック式ペンとして構成されることも可能である。
【０００７】
前記分配容器の第一の好ましい実施形態によると、前記容器は、前記スクリューロッドが前記クリームポットに対して回転すると、前記スクリューロッドを前記クリームポットの底から、非分配位置と分配位置との間で持ち上げるように構成された持ち上げ機構、特には不連続持ち上げ機構を備える。前記非分配位置では、前記スクリューロッドの自由端の距離が、有利には、前記分配位置での前記スクリューロッドの自由端の距離よりも長い。したがって、前記ピストンは、前記スクリューロッドの前記分配位置では、前記分配出口部に近づいて配置される。したがって、前記スクリューロッド及び前記ピストンが、前記ピストンが前記分配出口部から離れて配置される前記非分配位置に戻されると、前記粘性製品を分配するために蓄積された圧力を、少なくとも部分的に、減少又は減圧することができる。
【０００８】
前記持ち上げ機構が、前記スクリューロッドに配置された波状又は階段状のスライド面、及び前記クリームポットの底に配置された偏位面（deflection surfaces）を備えることが特に好ましく、前記スクリューロッドの前記クリームポットに対する回転が、前記偏位面上での前記スライド面のスライドする動きを引き起こし、それによって、前記スクリューロッドは、前記非分配位置と前記分配位置との間で動かされる。波状又は階段状のスライド面を備えることによって、前記スクリューロッドの非連続的な上下の動きを実現することができ、作動操作の開始時には、前記スクリューロッド及び前記ピストンは、上向きに動かされ、作動操作の終了時には、前記スクリューロッド及び前記ピストンは、下向きに動かされる。
【０００９】
有利には、前記インデックス機構は、前記スクリューロッドの前記クリームポットに対する回転がロックされた場合に前記スクリューロッドが前記非分配位置にあるように、前記持ち上げ機構と同期されている。このことは、分配操作後に前記インデックス機構が前記クリームポットに対する前記スクリューロッドの回転する動きをロックすると、前記保存容積中の圧力を僅かに減少させることができるという利点に繋がる。
【００１０】
前記分配容器の別の好ましい実施形態によると、前記クリームポットを収容するように構成された外部装飾シェルベース部材が備えられ、前記外部装飾シェルベース部材の底部分は、前記スクリューロッドの前記クリームポットに対する作動方向の回転する動きを作動させるように構成された作動セクションを備える。前記作動セクションを備えることによって、前記スクリューロッド及び前記外部装飾シェルベース部材は、回転式に結合され、前記外部装飾シェルベース部材の前記クリームポットに対する回転は、前記スクリューロッドの前記クリームポットに対する回転を引き起こす。有利には、前記クリームポット、前記キャップ、及びバルブは、独立型の密封ユニットとして構成され、前記外部装飾シェル中に交換可能に収容される交換パーツとして提供することができる。
【００１１】
前記クリームポットが、前記クリームポットに対して同心円状に配置され、前記クリームポットの外側底部分からの前記スクリューロッドの作動を可能とする開口部を備えることが特に好ましい。前記作動セクションは、前記スクリューロッドの回転する動きを作動させる目的で前記外部装飾シェル部材から前記作動セクションを介して前記スクリューロッドへトルクを伝達することができるように、前記スクリューロッドの凹み部の駆動パターンに対応して前記作動セクションの突出部に配置された駆動パターンを有することが可能である。有利には、前記外部装飾シェルベース部材は、引き立つ外観を有する魅力的なデザインで作製することができる。さらに、前記外部装飾ベース部材と接続され得る外部装飾シェルカバー部材が備えられることも可能であり、例えば、ネジを介して前記外部装飾シェルカバー部材を前記外部装飾シェルベース部材上に装着させることによる。
【００１２】
前記インデックス機構へのダメージを回避する目的で、前記クリームポットの外側底部分は、回転防止装置を備え、前記外部装飾シェルベース部材の底部分は、ロックフィーチャを備え、前記回転防止装置は、前記スクリューロッドの前記作動方向への作動は可能とし、前記作動方向とは逆であるロック方向への前記スクリューロッドの作動は防止するように前記ロックフィーチャと相互作用するように構成されている。したがって、前記外部装飾シェルベース部材によって作動される前記スクリューロッドは、前記外部装飾シェルベース部材が前記クリームポットに対して前記作動方向に回転される場合にのみ、前記クリームポットに対して動かすことができる。
【００１３】
前記分配容器の別の好ましい実施形態によると、前記クリームポットの外側底部分は、環状のアンダーカット部を有するマウントリングを備え、前記外部装飾シェルベース部材は、アンダーカット部を有するマウントフィーチャを備え、前記マウントリングの前記アンダーカット部は、前記マウントフィーチャの前記アンダーカット部と相互作用して、前記クリームポットを前記外部装飾シェルベース部材に固定する。前記クリームポットの前記外側底部分が、前記マウントフィーチャを備え、前記マウントリングが、前記外部装飾シェルベース部材に備えられることも可能であり、上記で述べたように、前記マウントリングの前記アンダーカット部は、前記マウントフィーチャの前記アンダーカット部と相互作用する。
【００１４】
有利には、前記外部装飾シェルベース部材は、ガラス製又は金属製であるベースパーツ、及び前記ベースパーツと接続されたプラスチック製の機能パーツを備え、前記機能パーツは、前記作動セクション、前記ロックフィーチャ、及び前記マウントフィーチャを備える。したがって、前記作動セクション、前記ロックフィーチャ、及び前記マウントフィーチャを、例えば射出成形により、プラスチックから容易かつ費用対効果の高い方法で製造することが可能であり、引き立つ外観を有する魅力的なデザインを、ガラス又は金属などのより高い品質の材料を用いることによって実現することができる。しかし、前記ベースパーツを、プラスチック又は他の材料から作製することも可能である。
【００１５】
前記分配出口部からの前記粘性製品の漏出を回避する目的で、前記分配出口部を閉じるように構成されたバルブが備えられている。
【００１６】
前記バルブが、バルブ部材を備え、前記バルブ部材を、前記スクリューロッドの前記長手方向軸線に沿って、前記分配出口部が前記バルブ部材によって閉じられる閉位置と前記分配出口部が開かれる開位置との間で動かすように構成されたバルブ開閉機構が備えられ、前記スクリューロッドは、前記バルブ部材を前記スクリューロッドの前記長手方向軸線周りに前記キャップに対して回転させ、それによって前記バルブ開閉機構を作動させるように構成されたバルブ作動フィーチャを備えていることが特に好ましい。したがって、前記粘性製品を分配するために前記バルブを開き、分配操作後には前記バルブ部材が前記分配出口部を閉じ、それによって、前記分配出口部からの漏出を防止することが可能である。
【００１７】
前記分配容器の別の好ましい実施形態によると、前記バルブ開閉機構は、前記キャップに配置されたバルブ開閉フィーチャ及び前記バルブ部材に配置された波状又は階段状のバルブ持ち上げフィーチャを備え、前記バルブ開閉フィーチャ及び前記バルブ持ち上げフィーチャは、前記バルブ部材が前記スクリューロッドの前記長手方向軸線周りに前記キャップに対して回転すると、前記バルブ部材を、前記閉位置と前記開位置との間で動かすように構成されている。好ましくは、前記波状又は階段状のバルブ持ち上げフィーチャは、前記キャップの前記バルブ開閉フィーチャ上をスライドし、回転の動きによって、前記スクリューロッドの前記長手方向軸線に沿った前記バルブ部材の軸線方向の変位を引き起こす。したがって、前記バルブの開閉は、前記スクリューロッドを前記クリームポット及び前記キャップに対して回転させ、それによって前記バルブ部材を前記閉位置から前記開位置へ動かしたり戻したりすることによって行うことができる。
【００１８】
好ましくは、前記キャップに接続され、前記バルブ部材を前記閉位置に予め入れておくように構成されたスプリング部材が備えられる。有利には、前記スプリング部材は、前記キャップに接続された環状マウントリングを備える。前記スプリング部材を前記キャップに接続するために、前記キャップは、アンダーカット部を有するリング形状の突出部を備え、前記マウントリングは、前記突出部に、ぴったり嵌め込まれて接続される。好ましくは、前記スプリング部材は、前記バルブ部材を前記閉位置に予め押し付けておくように構成された、複数のスプリングアームを、特に３つのスプリングアームを備える。
【００１９】
有利には、前記クリームポットは、前記クリームポットの外部周囲に配列された複数のガイドセクションを備え、前記キャップは、複数のガイドブリッジを備え、前記ガイドセクションは、前記キャップが前記クリームポットに装着された際に、前記ガイドブリッジを所定の位置までガイドするように構成されている。好ましくは、前記ガイドセクションは、三角形の形状とされ、前記ガイドブリッジの幅よりも僅かに長い距離の間隔を空けて配置されている。したがって、前記キャップを所定の位置で前記クリームポットに装着するために、前記ガイドブリッジは、前記ガイドセクションの間のスペースにスライドして入ることが可能である。好ましくは、前記ガイドブリッジは、前記キャップの前記バルブ開閉フィーチャと整列されており、それによって、前記キャップが前記クリームポットに装着される際に、前記バルブ開閉フィーチャを所定の位置に配置することができる。したがって、前記バルブ部材の上下の動きを、前記キャップを所定の位置に装着することによって調節することができる。
【００２０】
さらに、前記持ち上げ機構及び前記バルブ開閉機構は、前記スクリューロッドが前記非分配位置にある場合には前記バルブは前記閉位置にあり、前記スクリューロッドが前記分配位置にある場合には前記バルブは前記開位置にあるように、同期されていることが特に好ましい。それによって、前記バルブは、前記スクリューロッドが前記分配位置にある場合にのみ前記開位置にあることから、前記粘性製品の前記分配出口部からの漏出を、信頼性高く回避することができる。
【００２１】
前記分配容器の別の好ましい実施形態によると、前記キャップのカバー領域は、前記クリームポットの前記内部シリンダーに向かって軸方向内向きに曲がっており、前記カバー領域での前記キャップの内部面は、前記ピストンの上面と合致している。好ましくは、前記カバー領域は、前記分配出口部に向かって軸方向内向きに曲がっている。そのような曲面を有する前記キャップのカバー領域を備えることによって、前記ピストンの前記上面は、前記ピストンがその上死点にある場合、前記カバー領域で前記キャップの前記内部面とほぼ完全に接する。したがって、前記分配容器の前記保存容積を、ほぼ完全に空とすることができる。前記カバー領域を前記分配出口部に向かって曲げることによって、前記ピストンが前記キャップに向かって上向きに動かされると、粘性製品は、好ましくは、前記分配出口部に向かってガイドされることになる。
【００２２】
有利には、前記スクリューロッドと前記クリームポットとの間に配置されたガスケットが備えられ、前記ガスケットは、前記スクリューロッドと前記クリームポットとの間での漏出を防止するように構成されている。そのようなガスケットを備えることは、前記粘性製品の分解に繋がり得る前記粘性製品と空気との接触を最小限に抑えることができることから、特に好ましい。好ましくは、前記ガスケットは、リング形状である。前記スクリューロッドが前記分配位置に動かされた際に、前記ガスケットが空気に対して透過性であることが特に好ましい。これは、前記スクリューロッドが前記非分配位置にある場合には、前記ガスケットと接し、前記スクリューロッドが前記分配位置に動かされた場合には、前記ガスケットから持ち上げられるガスケット接触セクションを、前記スクリューロッドに備えることによって実現することができる。したがって、前記スクリューロッドの作動時に、前記保存容積中に減圧状態が発生することを防止する目的で、分配された粘性製品を相殺するために、前記保存容積中へ空気を流入させることができる。
【００２３】
さらに、前記スクリューロッドが、ネジなしセクションを有するシャフトを備え、前記ピストンは、雌ネジなしセクションを有し、ベアリングシールが前記シャフトの前記ネジなしセクションと前記ピストンの前記雌ネジなしセクションとの間に形成されるように、前記シャフトの前記ネジなしセクションの外径は、前記雌ネジなしセクションの内径よりも大きいことが特に好ましい。好ましくは、前記シャフトの前記ネジなしセクションは、前記スクリューロッドの下側部分の前記シャフトのネジセクションと前記インデックススプリング要素との間に配置される。ピストンとスクリューロッドとの間のネジ部での粘性製品の漏出が考えられる。したがって、前記分配容器が納品状態で未使用である場合に、プレシールを備えることができ、それによって、前記分配容器が薬局又はドラッグストアで販売される際に、ピストンとスクリューロッドとの間の前記ネジ部での前記粘性製品の漏出が防止される。
【００２４】
前記分配容器の別の好ましい実施形態によると、前記クリームポットは、内部シリンダーに対して同心円状に、及び前記内部シリンダーの半径方向外側に配置された環状シール壁を備え、前記キャップは、前記キャップが前記クリームポットに装着された際に、前記シール壁にシール状態で接するように構成された環状シールリップを前記キャップの内部領域に備える。一方では、前記キャップと前記クリームポットとの間に、信頼性の高いシールを備えることができる。他方では、前記ピストンを、前記内部シリンダー中でその上死点まで動かすことができ、前記キャップの前記シールリップによってその動きが制限されることを回避することができる。
【００２５】
本発明のさらなる詳細事項及び利点は、以下の記述から理解することができ、それに基づいて、図面で表される本発明の実施形態が、より詳細に記載され、説明される。
【図面の簡単な説明】
【００２６】
【図１】図１は、本発明に従う分配容器の分解上面斜視図である。
【図２】図２は、図１の分配容器の断面図である。
【図３】図３は、外部装飾シェルを除いた図２の分配容器の断面図である。
【図４】図４は、図１の分配容器のクリームポットの上面斜視図である。
【図５】図５は、図１の分配容器のクリームポットの底面斜視図である。
【図６】図６は、図４及び５のクリームポットの断面図である。
【図７】図７は、図１の分配容器のスクリューロッドの正面斜視図である。
【図８】図８は、図７のスクリューロッドの後面斜視図である。
【図９】図９は、図１の分配容器のピストンの上面斜視図である。
【図１０】図１０は、図９のピストンの底面斜視図である。
【図１１】図１１は、図９及び１０のピストンの断面図である。
【図１２】図１２は、図１の分配容器のバルブ部材の断面図である。
【図１３】図１３は、図１２のバルブ部材の底面斜視図である。
【図１４】図１４は、図１の分配容器のスプリング部材の上面斜視図である。
【図１５】図１５は、図１４のスプリング部材の底面斜視図である。
【図１６】図１６は、図１の分配容器のキャップの底面斜視図である。
【図１７】図１７は、図１６のキャップの断面図である。
【図１８】図１８は、図１の分配容器の外部装飾シェルベース部材の上面斜視図である。
【図１９】図１９は、図１８の外部装飾シェルベース部材の断面図である。
【図２０】図２０は、請求項１に記載の分配容器の外部装飾シェルカバー部材の底面斜視図である。
【発明を実施するための形態】
【００２７】
図１〜２０において、分配容器１０が示される。図１は、分配容器１０の分解上面斜視図を示す。分配容器１０は、クリームなどの、特に医療用又は化粧用クリームなどの粘性製品を分配するように構成されている。
【００２８】
図１に示されるように、分配容器１０は、前記粘性製品を保存するように構成された保存容積を定める内部シリンダー１４を有するクリームポット１２を備える。分配容器１０は、前記クリームポット１２を閉じるように構成され、分配出口部１８を有するキャップ１６を備える。キャップ１６及びクリームポット１２は、ポリプロピレン（ＰＰ）から作られている。さらに、分配容器１０は、スクリューロッド２０及びピストン２２を備える。スクリューロッド２０は、クリームポット１２に回転可能に接続されている。スクリューロッド２０は、ポリプロピレン（ＰＰ）又はポリオキシメチレン（ＰＯＭ）から作られ、ピストン２２は、ポリエチレン（ＰＥ）から作られている。
【００２９】
図２及び３に示されるように、ピストン２２は、雌ネジ２４を有し、スクリューロッド２０の回転が、内部シリンダー１４中におけるスクリューロッド２０の長手方向軸線２６に沿ったピストン２２の動きを引き起こして、内部シリンダー１４の前記保存容積を減少させ、分配出口部１８を通して前記製品を分配するように、スクリューロッド２０と結合されている。
【００３０】
図２〜４及び図６〜８に特に示されるように、分配容器１０は、スクリューロッド２０を、クリームポット１２に対する複数の回転位置でロックするように構成されたインデックス機構２８を備える。このインデックス機構２８は、スクリューロッド２０に配置されたインデックススプリング要素３０、及びクリームポット１２の底に配置されたインデックスセクション３２を備える。
【００３１】
インデックススプリング要素３０は、半径方向に、すなわち、前記スクリューロッドの前記長手方向軸線２６に対して直角に延び、スクリューロッド２０の底セクション３６にあるカラー３４上に配列されている。インデックススプリング要素３０は、カラー３４から延び、その自由端４０にロックセクション３８を有するＬ字形状フィンガー部である。
【００３２】
インデックスセクション３２は、クリームポット１２にある凹み部４４の周囲表面４２の領域から凹み部４４の中に向かって突出した、円柱型のセクションである。カラー３４及びインデックススプリング要素３０は、凹み部４４に配置されている。
【００３３】
インデックススプリング要素３０のロックセクション３８は、インデックススプリング要素３０のスプリング力によって、クリームポット１２のインデックスセクション３２間の領域中に予め押し付けられている。したがって、スクリューロッド２０のインデックススプリング要素３０は、スクリューロッド２０をクリームポット１２に対してロックするために、クリームポット１２のインデックスセクション３２と相互作用するように構成されている。
【００３４】
図７及び８に示されるように、カラー３４の周囲に均等に分布された５個のインデックススプリング要素３０が備えられている。さらに、凹み部４４の周囲表面４２に沿ってやはり均等に備えられた１０個のインデックスセクション３２が備えられている。１０個のインデックスセクションを備えることによって、３６°のインデックス角度分解能を実現することができる。インデックス機構２８を使用することによって、内部シリンダー１４の前記保存容積中に保存された粘性製品の１回分の量を予め定めることを可能とする分配容器１０を提供することができる。
【００３５】
図４、６、及び８に組み合わせて示されるように、分配容器１０は、スクリューロッド２０がクリームポット１２に対して回転すると、スクリューロッド２０をクリームポット１２の底４８から、非分配位置と分配位置との間で持ち上げるように構成された持ち上げ機構４６を備える。持ち上げ機構４６は、スクリューロッド２０に配置された波状又は階段状のスライド面５０（図８）、及びクリームポット１２の底４８に配置された偏位面５２を備える（図４及び６参照）。スクリューロッド２０のクリームポット１２に対する回転が、偏位面５２上でのスライド面５０のスライドする動きを引き起こし、それによって、スクリューロッド２０は、前記非分配位置と前記分配位置との間で動かされる。前記非分配位置では、スクリューロッド２０の自由端５４のキャップ１６までの距離が、前記分配位置でのスクリューロッド２０の自由端５４のキャップ１６までの距離よりも長い。したがって、ピストン２２は、スクリューロッド２０の前記分配位置では、分配出口部１８に近づいて配置される。
【００３６】
波状又は階段状のスライド面５０を備えることによって、スクリューロッド２０の上下の動きを実現することができ、作動操作の開始時には、スクリューロッド２０及びピストン２２は、上向きに動かされ、作動操作の終了時には、スクリューロッド２０及びピストン２２は、下向きに動かされる。したがって、スクリューロッド２０及びピストン２２が、ピストン２２が分配出口部１８から離れて配置される前記非分配位置に戻されると、前記粘性製品を分配するために蓄積された圧力を、少なくとも部分的に、減少させることができる。
【００３７】
図４及び６〜８に示されるように、スクリューロッド２０のインデックススプリング要素３０及び波状又は階段状のスライド面５０は、互いに対して所定の位置に配置されている。さらに、クリームポット１２の偏位面５２及びインデックスセクション３２も、互いに対して所定の位置に配置されている。インデックス機構２８が、スクリューロッド２０のクリームポット１２に対する回転がロックされた場合にスクリューロッド２０が前記非分配位置にあるように、持ち上げ機構４６と同期されるように、１０個の波状又は階段状のスライド面５０及びやはり１０個の偏位面５２が備えられる。このことは、分配操作後にインデックス機構２８がクリームポット１２に対するスクリューロッド２０の回転する動きをロックすると、内部シリンダー１４の前記保存容積中の圧力を僅かに減少させることができるという利点に繋がる。
【００３８】
図１及び２に戻ると、分配容器１０は、備えられ、クリームポット１２を収容するように構成された外部装飾シェルベース部材５６を備える。分配容器１０は、さらに、外部装飾シェルカバー部材５８を備え、外部装飾シェルカバー部材５８は、外部装飾シェルベース部材５６の雄ネジ６０を介して、及び外部装飾シェルカバー部材５８の雌ネジ６２を介して、外部装飾シェルカバー部材５８を外部装飾シェルベース部材５６上に装着させることによって、外部装飾ベース部材５６と接続することができる。
【００３９】
外部装飾シェルベース部材５６の底部分６４は、スクリューロッド２０のクリームポット１２に対する作動方向の回転する動きを作動させるように構成された作動セクション６６を備える。クリームポット１２は、クリームポット１２に対して同心円状に配置され、クリームポット１２の外側底部分７０からのスクリューロッド２０の作動を可能とする開口部６８を有する。
【００４０】
クリームポット１２に対するスクリューロッド２０の回転する動きを作動させる目的で、作動セクション６６は、スクリューロッド２０の回転する動きを作動させるために外部装飾シェル部材５６から作動セクション６６を介してスクリューロッド２０へトルクを伝達することができるように、スクリューロッド２０の凹み部７８の駆動パターン７６（図８参照）に対応して作動セクション６６の突出部７４に配置された駆動パターン７２を有する。突出部７４は、クリームポット１２の開口部６８に配置されている。
【００４１】
作動セクション６６を備えることによって、スクリューロッド２０及び外部装飾シェルベース部材５６は、回転式に結合され、外部装飾シェルベース部材５６のクリームポット１２に対する回転は、スクリューロッド２０のクリームポット１２に対する回転を引き起こす。
【００４２】
操作ミスを回避するために、クリームポット１２の外側底部分７０は、鋸歯状プロファイルを有する回転防止装置８０を備える。外部装飾シェルベース部材５６の底部分６４は、ロックフィーチャ８２を備える。回転防止装置８０は、スクリューロッド２０の前記作動方向への作動は可能とし、前記作動方向とは逆であるロック方向へのスクリューロッド２０の作動は防止するようにロックフィーチャ８２と相互作用するように構成されている。回転防止装置８０は、回転防止装置８０をインデックス機構２８と、及び持ち上げ機構４６と同期するように配列された１０個の鋸歯を備える。
【００４３】
外部装飾シェルベース部材５６は、外部装飾シェルベース部材５６がクリームポット１２に対して前記作動方向に回転される場合にのみ、クリームポット１２に対して動かすことができる。したがって、スクリューロッド２０は、外部装飾シェルベース部材５６がクリームポット１２に対して前記作動方向に回転される場合にのみ、クリームポット１２に対して動かすことができる。
【００４４】
クリームポット１２を外部装飾シェルベース部材５６に装着するために、クリームポット１２の外側底部分７０は、環状のアンダーカット部８６を有するマウントリング８４を備える。外部装飾シェルベース部材５６は、アンダーカット部９０を有するマウントフィーチャ８８を備える。マウントリング８４のアンダーカット部８６は、マウントフィーチャ８８のアンダーカット部９０と相互作用して、クリームポット１２を外部装飾シェルベース部材５６に固定する。
【００４５】
外部装飾シェルベース部材５６は、引き立つ外観を有する魅力的なデザインを有していてよく、これは、ガラス又は金属などのより高い品質の材料を用いることによって実現することができる。したがって、外部装飾シェルベース部材５６は、ガラス製又は金属製であるベースパーツ９２、及びベースパーツ９２と接続されたプラスチック製の機能パーツ９４を備えていてよく、機能パーツ９４は、作動セクション６６、ロックフィーチャ８２、及びマウントフィーチャ８８を備える。したがって、作動セクション６６、ロックフィーチャ８２、及びマウントフィーチャ８８を、例えば射出成形により、プラスチックから容易かつ費用対効果の高い方法で製造することが可能である。
【００４６】
図２及び３に戻ると、分配出口部１８からの前記粘性製品の漏出を回避する目的で、分配出口部１８を閉じるように構成されたバルブ９６が備えられている。
【００４７】
バルブ９６は、図１２及び１３に示される半球形状ヘッドを有するバルブ部材９７、並びに図１４及び１５に示されるスプリング部材９８を備える。バルブ９６を開閉するために、バルブ部材９７を、スクリューロッド２０の前記長手方向軸線２６に沿って、分配出口部１８がバルブ部材９７によって閉じられる閉位置と分配出口部１８が開かれる開位置との間で動かすように構成されたバルブ開閉機構１００が備えられる。
【００４８】
バルブ開閉機構１００を作動させるために、スクリューロッド２０は、バルブ部材９７をスクリューロッド２０の前記長手方向軸線２６周りにキャップ１６に対して回転させ、それによってバルブ開閉機構１００を作動させるように構成された、前記スクリューロッドの自由端５４に配置されたバルブ作動フィーチャ１０２を備える。バルブ作動フィーチャ１０２は、バルブ部材９７の凹み部１０７の駆動パターン１０５に対応した駆動パターン１０３を有している。
【００４９】
バルブ開閉機構１００は、キャップ１６に配置されたバルブ開閉フィーチャ１０４（図１６及び１７参照）、及びバルブ部材９７に配置された波状又は階段状のバルブ持ち上げフィーチャ１０６を備える。バルブ開閉フィーチャ１０４及びバルブ持ち上げフィーチャ１０６は、バルブ部材９７がスクリューロッド２０の前記長手方向軸線２６周りにキャップ１６に対して回転すると、バルブ部材９７を、前記閉位置と前記開位置との間で動かすように構成されている。
【００５０】
波状又は階段状のバルブ持ち上げフィーチャ１０６は、キャップ１６のバルブ開閉フィーチャ１０４上をスライドし、回転の動きによって、スクリューロッド２０の前記長手方向軸線２６に沿ったバルブ部材９７の軸線方向の変位を引き起こす。したがって、バルブ９６の開閉は、スクリューロッド２０をクリームポット１２及びキャップ１６に対して回転させ、それによってバルブ部材９７を前記閉位置から前記開位置へ動かしたり戻したりすることによって行うことができる。
【００５１】
スプリング部材９８は、バルブ部材９７を前記閉位置に予め入れておくように構成されている。スプリング部材９８は、キャップ１６に接続された環状マウントリング１０８を備える。スプリング部材９８をキャップ１６に接続するために、キャップ１６は、アンダーカット部を有するリング形状の突出部１１０を備え、マウントリング１０８は、突出部１１０に、ぴったり嵌め込まれて接続される。スプリング部材９８は、バルブ部材９７を前記閉位置に予め押し付けておくように構成されたスプリングアーム１１２を備える。スプリングアーム１１２は、バルブ部材９７が通るようにガイドされるスプリング部材９８の開口部１１４の周囲に配列されている。
【００５２】
持ち上げ機構４６及びバルブ開閉機構１００は、スクリューロッド２０が前記非分配位置にある場合にはバルブ９６は前記閉位置にあり、スクリューロッド２０が前記分配位置にある場合にはバルブ９６は前記開位置にあるように、同期されている。それによって、バルブ９６は、スクリューロッド２０が前記分配位置にある場合にのみ前記開位置にあることから、前記粘性製品の分配出口部１８からの漏出を、信頼性高く回避することができる。
【００５３】
持ち上げ機構４６及びバルブ開閉機構１００の同期を確保するために、キャップ１６は、予め定められた位置でクリームポット１２に装着される必要がある。
【００５４】
したがって、クリームポット１２は、クリームポット１２の外部周囲１１８に配列された複数のガイドセクション１１６を備える（図１、４、及び５参照）。キャップ１６は、前記長手方向軸線２６に対して平行に配列された複数のガイドブリッジ１２０を備える（図１６及び１７参照）。ガイドセクション１１６は、キャップ１６がクリームポット１２に装着された際に、ガイドブリッジ１２０を所定の位置までガイドするように構成されている。したがって、ガイドセクション１１６は、三角形の形状とされ、ガイドブリッジ１２０の幅よりも僅かに長い距離の間隔を空けて配置されている。したがって、キャップ１６を所定の位置でクリームポット１２に装着するために、ガイドブリッジ１２０を、ガイドセクション１１６の間のスペースにスライドして入れることが可能である。
【００５５】
持ち上げ機構４６及びバルブ開閉機構１００を同期させるために、ガイドブリッジ１２０は、キャップ１６のバルブ開閉フィーチャ１０４と整列されており、それによって、キャップ１６がクリームポット１２に装着される際に、バルブ開閉フィーチャ１０４を所定の位置に配置することができる。したがって、バルブ部材９７の同期された上下の動きを、キャップ１６を所定の位置に装着することによって調節することができる。
【００５６】
分配容器１０は、前記分配容器からの前記粘性製品の漏出を防止するために、並びに空気及び／又は酸素との接触に起因する前記粘性製品の劣化を回避するために、シールフィーチャをさらに備える。
【００５７】
図９〜１１に示されるピストン２２は、ピストン２２を分配出口部１８に向かって上向きに動かすことによって前記保存容積が減少し、前記圧力が上昇した場合に、内部シリンダー１４とピストン２２との間から粘性製品が漏出することを回避するために、クリームポット１２の内部シリンダー１４に接するシールリップ１２２を有する。ポリエチレン（ＰＥ）から作られたピストン２２は、その底側１２６に複数の剛化リブ１２４を、及びピストン２２の上側１３０に配置され、ピストン２２がその上死点にある場合にバルブ９６を収容するように構成されている中央凹み部１２８を備える。
【００５８】
図２及び３は、２つの両端位置、すなわち、それぞれ、下死点及び上死点、にあるピストン２２を示す。
【００５９】
ピストン２２の前記ポリエチレン（ＰＥ）材料は、空気及び／又は酸素に対して透過性であることから、スクリューロッド２０とクリームポット１２との間に配置されたリング形状のガスケット１３２が備えられる（図１参照）。
【００６０】
スクリューロッド２０が前記非分配位置にある場合には、ガスケット１３２と接し、スクリューロッド２０が前記分配位置に動かされた場合には、ガスケット１３２から持ち上げられるガスケット接触セクション１３４が、クリームポット１２及び／又はスクリューロッド２０に備えられる。したがって、ガスケット１３２は、スクリューロッド２０が前記分配位置に動かされた場合には、空気に対して透過性であり、ガスケット１３２は、スクリューロッド２０が前記非分配位置にある場合には、スクリューロッド２０と前記クリームポットとの間での漏出を防止するように構成されている。前記保存容積中に減圧状態が発生することを防止する目的で、分配された粘性製品を相殺するために、スクリューロッド２０の作動時にのみ、前記保存容積中へ空気を流入させることができる。
【００６１】
ガスケット１３２を備えることによって、空気及び／又は酸素との接触に起因する前記粘性製品の分解を、最小限に抑えることができる。
【００６２】
ピストン２２とスクリューロッド２０との間の前記ピストンの雌ネジ２４での前記粘性製品の漏出を、特に、分配容器１０が納品状態で未使用であり、薬局又はドラッグストアで販売される際に回避するために、スクリューロッド２０は、シャフト１３６であって、スクリューロッド２０の下側部分のシャフト１３６のネジセクション１３９とインデックススプリング要素３０との間に配置されたネジなしセクション１３８を有する、シャフト１３６を備える（図７参照）。ピストン２２は、雌ネジなしセクション１４０を有する（図１１参照）。ベアリングシールがシャフト１３６のネジなしセクション１３８とピストン２２の雌ネジなしセクション１４０との間に形成されるように、シャフト１３６のネジなしセクション１３８の外径は、ピストン２２の雌ネジなしセクション１４０の内径よりも大きい。
【００６３】
ネジなしセクション１３８、１４０の間に前記ベアリングシールを備えることによって、分配容器１０が納品状態で未使用である場合に、プレシールを備えることができ、それによって、前記粘性製品の漏出が防止される。
【００６４】
クリームポット１２とキャップ１６との接合領域での前記粘性製品の漏出を回避するようにキャップ１６をクリームポット１２にシールするために、クリームポット１２は、内部シリンダー１４に対して同心円状に、及び内部シリンダー１４の半径方向外側に配置された環状シール壁１４２を備え、キャップ１６は、キャップ１６がクリームポット１２に装着された際に、シール壁１４２にシール状態で接するように構成された環状シールリップ１４４をキャップ１６の内部領域に備える。一方では、キャップ１６とクリームポット１２との間に、信頼性の高いシールを備えることができる。他方では、ピストン２２を、内部シリンダー１４中でその上死点まで動かすことができ、キャップ１６のシールリップ１４４によってその動きが制限されることを回避することができる。
【００６５】
分配容器１０を完全に空とするために、キャップ１６のカバー領域１４６は、クリームポット１２の内部シリンダー１４に向かって軸方向内向きに曲がっており、カバー領域１４６でのキャップ１６の内部面１４８は、ピストン２２の上面１５０と合致している。好ましくは、カバー領域１４６は、分配出口部１８に向かって軸方向内向きに曲がっている。そのような曲面を有するキャップ１６のカバー領域１４６を備えることによって、ピストン２２の上面１５０は、ピストン２２がその上死点にある場合、カバー領域１４６でキャップ１６の内部面１４８とほぼ完全に接する。したがって、分配容器１０の前記保存容積を、ほぼ完全に空とすることができる。
【００６６】
上記で概説したように、前記保存容積中に保存された前記粘性製品の１回分の量を予め定めることを可能とし、及び前記粘性製品の漏出を低減した分配容器１０が提供される。
【００６７】
図１〜２０に示した実施形態では、分配容器１０は、クリームジャーとして示した。しかし、前記分配容器が、ペン状の構造を有し、いわゆるノック式ペンとして構成されることも可能である。
【図１】
0006974508.tif 000002
【図２】
0006974508.tif 000003
【図３】
0006974508.tif 000004
【図４】
0006974508.tif 000005
【図５】
0006974508.tif 000006
【図６】
0006974508.tif 000007
【図７】
0006974508.tif 000008
【図８】
0006974508.tif 000009
【図９】
0006974508.tif 000010
【図１０】
0006974508.tif 000011
【図１１】
0006974508.tif 000012
【図１２】
0006974508.tif 000013
【図１３】
0006974508.tif 000014
【図１４】
0006974508.tif 000015
【図１５】
0006974508.tif 000016
【図１６】
0006974508.tif 000017
【図１７】
0006974508.tif 000018
【図１８】
0006974508.tif 000019
【図１９】
0006974508.tif 000020
【図２０】
0006974508.tif 000021